(57)【特許請求の範囲】
【請求項１】
壁面に対して固定される固定具と、
前記固定具に対して装着されるリモコン本体とを有し、
前記固定具が、外周縁をなす第１外縁部と、当該第１外縁部に対向する位置にある第２外縁部と、前記第１，２外縁部に対して交差する方向に拡がる第３外縁部とを有し、
前記第１，２外縁部のそれぞれに、被係合部Ａが設けられており、
前記第３外縁部に、被係合部Ｂが複数、相互に間隔を空けて配されており、
前記リモコン本体の背面側に、固定具を収容可能な大きさに開口した固定具装着部が設けられており、
当該固定具装着部の内周縁をなす第１内縁部と、当該第１内縁部に対向する位置にある第２内縁部と、前記第１，２内縁部に対して交差する方向に拡がる第３内縁部とを有し、
前記第１，２内縁部あるいはこれらに沿う位置に、前記被係合部Ａと係合可能な係合部ａが設けられており、
前記第３内縁部に、前記被係合部Ｂと係合可能な係合部ｂが複数、相互に間隔を空けて配されており、
前記固定具装着部の第１，２，３内縁部のそれぞれに前記固定具の第１，２，３外縁部のそれぞれが沿うように前記固定具装着部内に前記固定具が収容された状態において、前記第１，２内縁部および第１，２外縁部に沿い、第３内縁部と第３外縁部とが近接する方向にリモコン本体と固定具とを相対移動させることにより前記被係合部Ａと前記係合部ａとが係合し、前記被係合部Ｂと前記係合部ｂとが係合するものであり、
被係合部Ｂが、固定具の外周側に向けて開放されたスリットであり、
係合部ｂが、固定具装着部の内側に向けて突出した突起であることを特徴とするリモコン装置。
【請求項２】
被係合部Ａが、固定具の外周側に向けて開放された切欠であり、
係合部ａが、前記固定具に対して係合可能な突起により形成されていることを特徴とする請求項１に記載のリモコン装置。
【請求項３】
第１，２内縁部に設けられた係合部ａ同士の間隔が、第１，２外縁部に設けられた被係合部Ａ同士の間隔と同等あるいは被係合部Ａ同士の間隔以下であり、
リモコン本体が、前記係合部ａ同士の間隔が増減する方向への可撓性を有することを特徴とする請求項１又は２に記載のリモコン装置。
【請求項４】
係合部ｂが、リブによって構成されており、
被係合部Ｂが、固定具の外周側から中央側に向かうに連れて先細りになったスリットによって構成されていることを特徴とする請求項１〜３のいずれかに記載のリモコン装置。
【請求項５】
固定具にリモコン本体の背面から取り出された配線を通過させることが可能な開口が設けられており、
当該開口の第１，２外縁部に沿う方向の長さが、リモコン本体の固定具装着部内に固定具を嵌め込んだ状態から、固定具側の被係合部Ｂとリモコン本体側の係合部ｂとが係合した状態となるまでにリモコン本体が固定具に対して相対移動する長さ以上であることを特徴とする請求項１〜４のいずれかに記載のリモコン装置。
【発明の詳細な説明】
【技術分野】
【０００１】
本発明は、リモコン装置に関するものであり、特にその取付構造に特徴を有するものに関する。
【背景技術】
【０００２】
従来より、例えば下記特許文献１に開示されているようなリモコン装置が提供されている。特許文献１に開示されているリモコン装置では、リモコン本体の背面に立設部を設けると共に、前記した立設部と同型の立上げ部を設けた固定具を壁面に対して取り付けておき、固定具に対してリモコン本体を押し込んで立設部と立上げ部とを相互嵌合させることにより、リモコン本体を壁面に取り付ける取付構造が採用されている。また、下記特許文献１において従来技術として開示されているリモコン装置では、壁面に予め設置された固定具に対してリモコン本体の背面側に設けられた溝部を係合させた状態でスライドさせることにより、リモコン本体を設置する構成が開示されている。
【特許文献１】実開昭６２−１６０２６１号公報
【発明の開示】
【発明が解決しようとする課題】
【０００３】
上記した従来技術のリモコン装置のように、固定具に対してリモコン本体を押し込んで取り付けるものにおいては、リモコン本体の背面に設けられた立設部や固定具の立上げ部に対して交差する方向にはしっかりと固定された状態になっていた。しかし、上記特許文献１に開示されているような構成を採用した場合は、立設部や立上げ部に沿ってリモコン本体がスライド可能であり、取付位置が定まらないといった問題があった。
【０００４】
上記特許文献１の従来技術において開示されているものについては、固定具に対してリモコン本体をスライドさせて取り付けると、リモコン本体に設けられた嵌合片が、固定具側に設けられた係止部に嵌合し、前記スライド方向にスライドできなくなり、しっかり固定された状態になる。しかし、この従来技術のリモコン装置では、リモコン本体をスライドさせるために、固定具とリモコン本体の背面側に設けられた溝部との間に多少のクリアランスが設けられている。そのため、この種のリモコン装置では、前記したリモコン本体のスライド方向に対して交差する方向にがたつきが生じてしまうといった問題があった。
【０００５】
そこで、本発明は、リモコン本体を壁面に取り付けられた固定具に対してがたつきなく、しっかりと固定可能なリモコン装置の提供を目的とした。
【課題を解決するための手段】
【０００６】
上記した課題を解決すべく提供される請求項１に記載の発明は、壁面に対して固定される固定具と、前記固定具に対して装着されるリモコン本体とを有し、前記固定具が、外周縁をなす第１外縁部と、当該第１外縁部に対向する位置にある第２外縁部と、前記第１，２外縁部に対して交差する方向に拡がる第３外縁部とを有し、前記第１，２外縁部のそれぞれに、被係合部Ａが設けられており、前記第３外縁部に、被係合部Ｂが複数、相互に間隔を空けて配されており、前記リモコン本体の背面側に、固定具を収容可能な大きさに開口した固定具装着部が設けられており、当該固定具装着部の内周縁をなす第１内縁部と、当該第１内縁部に対向する位置にある第２内縁部と、前記第１，２内縁部に対して交差する方向に拡がる第３内縁部とを有し、前記第１，２内縁部あるいはこれらに沿う位置に、前記被係合部Ａと係合可能な係合部ａが設けられており、前記第３内縁部に、前記被係合部Ｂと係合可能な係合部ｂが複数、相互に間隔を空けて配されており、前記固定具装着部の第１，２，３内縁部のそれぞれに前記固定具の第１，２，３外縁部のそれぞれが沿うように前記固定具装着部内に前記固定具が収容された状態において、前記第１，２内縁部および第１，２外縁部に沿い、第３内縁部と第３外縁部とが近接する方向にリモコン本体と固定具とを相対移動させることにより前記被係合部Ａと前記係合部ａとが係合し、前記被係合部Ｂと前記係合部ｂとが係合するものであり、被係合部Ｂが、固定具の外周側に向けて開放されたスリットであり、係合部ｂが、固定具装着部の内側に向けて突出した突起であることを特徴とするリモコン装置である。
【０００７】
本発明のリモコン装置では、リモコン本体の背面側に設けられた固定具装着部内に固定具が収容された状態において、固定具装着部を構成する第１，２内縁部に固定具の第１，２外縁部が沿い、第３内縁部と第３外縁部とが近接するようにリモコン本体と固定具とを相対移動させると、固定具側に設けられた被係合部Ａとリモコン本体側の係合部ａとが係合した状態になる。これにより、リモコン本体が、固定具に対して、第１，２内縁部や第１，２外縁部に沿う方向に移動できない状態になる。一方、上記したようにしてリモコン本体と固定具とを相対移動させると、固定具側に設けられた各被係合部Ｂと、リモコン本体側に設けられた各係合部ｂとが係合した状態になる。また、上記したように、被係合部Ｂや係合部ｂは、固定具の第３外縁部やリモコン本体の第３内縁部に複数、相互に間隔をあけて配されたものである。そのため、各被係合部Ｂと各係合部ｂとが係合すると、固定具に対し、リモコン本体が第３内縁部や第３外縁部に沿う方向にも移動できない状態になる。そのため、本発明によれば、従来公知のリモコン装置のようにビス等を用いなくてもリモコン本体を固定具に対してがたつきなく、しっかりと固定可能なリモコン装置を提供することができる。
【０００８】
また、本発明のリモコン装置は、固定具装着部内に固定具を収容した状態で固定具とリモコン本体とを一体化するものであるため、壁面への取り付け時に、壁面とリモコン本体との間に隙間ができにくい。そのため、本発明のリモコン装置は、従来技術のものに比べ、壁面への取り付け状態において美観に優れている。また、本発明のリモコン装置は、リモコン本体と壁面との間にホコリやゴミが入り込むといった不都合が生じにくい。
【０００９】
上記請求項１に記載のリモコン装置は、被係合部Ａが、固定具の外周側に向けて開放された切欠により形成されており、係合部ａが、前記固定具に対して係合可能な突起により形成されているものであってもよい（請求項２）。
【００１０】
請求項３に記載の発明は、第１，２内縁部に設けられた係合部ａ同士の間隔が、第１，２外縁部に設けられた被係合部Ａ同士の間隔と同等あるいは被係合部Ａ同士の間隔以下であり、リモコン本体が、前記係合部ａ同士の間隔が増減する方向への可撓性を有することを特徴とする請求項１又は２に記載のリモコン装置である。
【００１１】
本発明のリモコン装置で採用されているリモコン本体は、第１，２内縁部に設けられた係合部ａ同士の間隔が前記した被係合部Ａ同士の間隔と同等あるいはそれ以下である。さらに、前記したリモコン本体は、第１，２内縁部に設けられた係合部ａ同士の間隔が増減する方向への可撓性を有する。そのため、リモコン本体の背面側に設けられた固定具装着部内に固定具を収容した状態において、適宜第１，２内縁部に設けられた係合部ａが撓んで両者の間隔が拡がり、リモコン本体と固定具とを相対移動させることが可能である。そして、係合部ａと被係合部Ａとが係合した状態になると、係合部ａが元の姿勢に戻り、係合部ａ同士の間に固定具が挟まれた状態になる。そのため、本発明によれば、リモコン本体を固定具に対してしっかりと固定可能なリモコン装置を提供することができる。
【００１２】
請求項４に記載の発明は、係合部ｂが、リブによって構成されており、被係合部Ｂが、固定具の外周側から中央側に向かうに連れて先細りになったスリットによって構成されていることを特徴とする請求項１〜３のいずれかに記載のリモコン装置である。
【００１３】
本発明のリモコン装置では、リモコン本体の背面側に設けられた固定具装着部内に固定具が収容された状態において、リモコン本体と固定具とを相対移動させると、リブによって構成されている係合部ｂが、スリットによって構成されている被係合部Ｂ内に侵入し、係合した状態になる。ここで、本発明では、被係合部Ｂが固定具の外周側から中央側に向かうに連れて先細り状となっている。そのため、リモコン装置の設置時に、リモコン本体と固定具とを相対移動させると係合部ｂが被係合部Ｂに対してしっかりと係合した状態になる。従って、本発明によれば、リモコン本体を固定具に対してしっかりと固定可能なリモコン装置を提供することができる。
【００１４】
上記した発明の関連発明としては、被係合部Ｂが、係合部ｂを差し込み可能な孔によって構成されており、係合部ｂが、可撓性を有し、前記被係合部Ｂに差し込まれた状態において、被係合部Ｂの開口縁側に密接することが好ましい。
【００１５】
本発明のリモコン装置は、リモコン本体の固定具装着部内に固定具が収容された状態において、リモコン本体と固定具とを相対移動させると、固定具側に設けられた被係合部Ｂにリモコン本体側に設けられた係合部ｂが差し込まれると共に、係合部ｂが被係合部Ｂの開口縁側に密接した状態になる。そのため、本発明のリモコン装置は、リモコン本体を固定具に対してがたつきなく、しっかりと固定された状態とすることができる。
【００１６】
ここで、上記したように、本発明のリモコン装置は、リモコン本体を固定具に対して相対移動させることにより装着されるものである。かかる構成とした場合、リモコン本体と固定具とを相対移動させる際に、リモコン本体の背面側から取り出された配線が挟み込まれてしまったり、配線を損傷する可能性がある。また、配線がリモコン本体と固定具との間に挟み込まれると、固定具に対してリモコン本体がしっかりと取り付けることができないといった不具合が発生する可能性もある。さらに、配線がリモコン本体の背面と固定具との間に挟まらないように注意しなければならない構成であると、リモコン装置の設置作業が繁雑になってしまう可能性もある。
【００１７】
そこで、かかる課題を解消すべく提供される請求項５に記載の発明は、固定具にリモコン本体の背面から取り出された配線を通過させることが可能な開口が設けられており、当該開口の第１，２外縁部に沿う方向の長さが、リモコン本体の固定具装着部内に固定具を嵌め込んだ状態から、固定具側の被係合部Ｂとリモコン本体側の係合部ｂとが係合した状態となるまでにリモコン本体が固定具に対して相対移動する長さ以上であることを特徴とする請求項１〜４のいずれかに記載のリモコン装置である。
【００１８】
本発明のリモコン装置では、リモコン本体の取り付け時にリモコン本体が固定具に対して相対移動する距離を加味して固定具側に設けられた開口の大きさが調整されている。そのため、本発明によれば、壁面に取り付けられた固定具に対してリモコン本体を取り付ける際に、リモコン本体の背面から取り出されている配線を固定具に設けられた開口に通した状態でリモコン本体と固定具とを相対移動させても、配線がリモコン本体と固定具との間に挟み込まれて損傷したり、固定具に対してリモコン本体をしっかりと固定できないといったような不具合の発生を防止することができる。また、本発明によれば、リモコン装置の設置時に配線がリモコン本体の背面と固定具との間に挟まるのを容易に防止できるため、リモコン装置の設置作業をより一層簡略化することができる。
【発明の効果】
【００１９】
本発明によれば、リモコン本体を壁面に取り付けられた固定具に対してがたつきなく、しっかりと固定可能なリモコン装置を提供することができる。
【発明を実施するための最良の形態】
【００２０】
続いて、本発明の一実施形態にかかるリモコン装置１について、図面を参照しつつ詳細に説明する。なお、以下の説明において上下左右の位置関係は、特に断りのないかぎり図示状態を基準とする。
リモコン装置１は、床暖房装置等を遠隔操作するために利用されるものであり、居室内の壁面に設置され、図示しない温水暖房機能を有する給湯熱源機の制御部と通信接続される。リモコン装置１は、固定具２とリモコン本体５とを有し、壁面に取り付けられた固定具２に対してリモコン本体５を装着することにより設置される。固定具２は、金属板に開口を設けたり切り欠く等して形成されたものである。さらに詳細に説明すると、固定具２は、図１や図２に示すように外形が略矩形の金属板によって構成されている。固定具２は、板状の固定板部６を有する。固定板部６は、リモコン装置１の設置時にリモコン本体５側を向く表面６ａと、壁面側を向く裏面６ｂとを有する。固定板部６の略中央には、略矩形状の開口７が設けられている。また、固定具２の外周縁は、固定板部６の外周部分を切り欠いたり折り曲げ加工することにより形成されている。
【００２１】
固定具２の外周縁は、左縁部１０（第１外縁部）、右縁部１１（第２外縁部）、上縁部１２（第３外縁部）、並びに、下縁部１３によって構成されている。左縁部１０と右縁部１１とは互いに略平行であり、上縁部１２と下縁部１３とは略平行である。また、左右縁部１０，１１と上下縁部１２，１３とは互いに略直交している。固定具２は、略左右対称であり、左縁部１０と右縁部１１との構成が略同一とされている。さらに具体的に説明すると、左縁部１０および右縁部１１には、ガイド片１５〜２０が設けられている。
【００２２】
ガイド片１５は、固定板部６に対して段差をつけて形成された部分であり、固定板部６に対して略平行で外側に向けて張り出した片状の部分である。すなわち、ガイド片１５は、固定板部６の表面６ａ側に向けて段差を付けて張り出すと共に、固定板部６から離れる方向に向けて張り出している。ガイド片１５は、左縁部１０および右縁部１１の略中央にあり、上下方向（上縁部１２から下縁部１３に向かう方向）に伸びるように形成されている。ガイド片１５は、正面視が略矩形であり、その長手方向略中央部に被係合部２１（被係合部Ａ，切欠）が設けられている。被係合部２１は、固定具２の外側に向けて開放された切り欠きによって形成されている。
【００２３】
ガイド片１６，１７は、上記したガイド片１５と同様に固定板部６に対して段差を付けて形成された部分である。ガイド片１６，１７と固定板部６との段差は、上記したガイド片１５と固定板部６との段差と略同一とされている。ガイド片１６，１７は、共に上記した固定板部６に対してガイド片１５と同一方向に張り出している。すなわち、ガイド片１６，１７は、それぞれガイド片１５と同様に固定板部６の表面６ａ側に向けて段差を付けて張り出すと共に、固定板部６から離れる方向に向けて張り出している。ガイド片１６は、固定具２の上端側（上縁部１２側）の位置に設けられており、ガイド片１７は、固定具２の下端側（下縁部１３側）の位置に設けられている。
【００２４】
ガイド片１８〜２０は、それぞれ固定板部６に対して略垂直であり、固定板部６の表面６ａ側に向けて突出した片状の部分である。ガイド片１８〜２０の突出量は、上記したガイド片１５〜１７と固定板部６との段差と同程度とされている。ガイド片１８は、ガイド片１５，１６の間の位置に形成されており、ガイド片１９は、ガイド片１５，１７の間に形成されている。また、ガイド片２０は、左縁部１０および右縁部１１において最も下端側の位置、すなわちガイド片１７に対して下縁部１３側に隣接した位置に設けられている。
【００２５】
固定具２の上縁部１２は、外縁部分が固定板部６の表面６ａ側に向けて折り返されている。上縁部１２には、受け部２５（被係合部Ｂ，スリット）が２つ、相互に間隔を空けて形成されている。受け部２５，２５は、それぞれ固定具２において左右対称の位置関係にある。図２（ａ）に示すように、受け部２５は、それぞれ正面視が略「Ｖ」字状の切り欠きによって形成されている。受け部２５は、テーパー状であり、固定具２の外縁側から中心側に向かうに連れて先細りとなっている。
【００２６】
固定具２の下縁部１３についても、上縁部１２と同様に固定板部６の外縁部分を表面６ａ側に折り曲げて形成されている。下縁部１３の折返量は、ガイド片１５〜１７の段差や、ガイド片１８〜２０の突出量に比べて十分小さい。
【００２７】
リモコン本体５は、ケース３０を有し、この内部に電気部品や電子部品を実装した基板３７をはじめとする部品類を収容した構成とされている。基板３７に繋がる配線は、ケース３０の背面側から取り出されている。図１等に示すように、ケース３０は、樹脂製で正面視が略矩形のものであり、正面側に操作用のボタンや表示装置等が設けられている。一方、図３に示すように、ケース３０の背面側には、周壁３１の内周縁によって四方を囲まれた固定具装着部４０が設けられている。さらに詳細には、周壁３１は、左縁部３２（第１内縁部）、右縁部３３（第２内縁部）、上縁部３４（第３内縁部）、並びに、下縁部３５によって四方を取り囲むように形成されており、これらの内側に固定具装着部４０が形成されている。固定具装着部４０は、その開口領域の大きさが上記した固定具２よりもやや大きめであり、固定具２を嵌め込み可能とされている。
【００２８】
上記した周壁３１のうち、左縁部３２および右縁部３３の内側に隣接する位置には、係合突片４１，４１が設けられている。係合突片４１，４１は、それぞれ左縁部３２および右縁部３３の長手方向略中央部に設けられた片状の部分である。係合突片４１，４１は、ケース３０において左右対称の位置関係にある。係合突片４１，４１は、それぞれケース３０内に収容されている基板３７の外縁と、ケース３０の左縁部３２や右縁部３３との間に位置しており、基板３７よりもケース３０の背面側まで突出している。
【００２９】
係合突片４１，４１は、それぞれ左縁部３２や右縁部３３に近接離反する方向への可撓性を有する。そのため、係合突片４１，４１は、図３に矢印で示すように、それぞれ互いの間隔が拡大、縮小する方向に撓むことができる。係合突片４１には、突起４３（係合部ａ）が設けられている。突起４３は、断面形状が略円弧状とされている。突起４３は、その形状および大きさが固定具２のガイド片１５に設けられた被係合部２１に係合可能なものとされている。
【００３０】
また、上縁部３４には、突出部４５（係合部ｂ，突起，リブ）が相互に間隔を空けて２つ設けられている。突出部４５は、リブ状であり、上縁部３４から固定具装着部４０の内側に向けて突出している。前記した二つの突出部４５，４５は、ケース３０において左右対称の位置関係にある。突出部４５，４５の間隔は、固定具２の上縁部１２に設けられた受け部２５，２５の間隔と略合致している。
【００３１】
続いて、本実施形態のリモコン装置１を壁面に取り付ける際の取り付け方法について、図面を参照しつつ詳細に説明する。リモコン装置１は、壁面に固定具２を取り付けた上、これに対してリモコン本体５を装着することにより設置される。さらに詳細に説明すると、固定具２は、図１に示すように、上縁部１２および下縁部１３がそれぞれ上下に向き、固定板部６の裏面６ｂが壁面側を向く姿勢としてネジ等により固定される。この際、固定板部６の中央に設けられた開口７内に、リモコン本体５の基板３７に繋がる配線３８を通すために壁面に設けた孔（図示せず）が到来するように位置合わせされる。このようにして固定具２が壁面に固定されると、固定具２の左右縁部１０，１１に設けられた各ガイド片１５〜２０がリモコン装置１の取り付け作業を行う作業者側に向けて突出した状態になる。
【００３２】
上記したようにして固定具２が壁面に取り付けられると、リモコン本体５は、ケース３０の背面側が固定具２側に向き、上縁部３４および下縁部３５が上下に向く姿勢とされる。そして、リモコン本体５は、この姿勢を維持したまま、予め壁面に取り付けられている固定具２に被せられる。これにより、図４（ａ）に示すようにケース３０の背面側に設けられた固定具装着部４０に固定具２が嵌り込んだ状態になる。この際、ケース３０内にある基板３７の配線３８は、固定具２の固定板部６に設けられた開口７を介して、この開口７の開口領域内に開口しており壁面に設けられた孔（図示せず）に通した状態とされる。
【００３３】
固定具装着部４０に固定具２が嵌り込むと、固定具２の左縁部１０および右縁部１１に設けられたガイド片１８〜２０が、ケース３０の周壁３１をなす左縁部３２や右縁部３３と基板３７の外縁との間に形成された隙間に入り込む。また、ケース３０に設けられた係合突片４１，４１は、それぞれ突起４３，４３がガイド片１５の被係合部２１よりも上方側（上縁部１２側）の位置に当接している。そのため、図４（ａ）に矢印Ａで示すように、係合突片４１，４１は、それぞれ左縁部３２や右縁部３３に近づく方向、すなわち係合突片４１，４１同士の間隔が開く方向に撓んだ状態になる。これにより、係合突片４１，４１が固定具２のガイド片１５，１５に向けて付勢され、ガイド片１５，１５にぴったりと寄り添った状態になる。言い換えれば、ケース３０の左右に設けられた係合突片４１，４１により、固定具２がガイド片１５，１５に相当する位置で挟み込まれた状態になる。
【００３４】
上記したようにしてリモコン本体５を固定具２に対して被せた状態において、リモコン本体５の左縁部３２および右縁部３３や、固定具２の左縁部１０および右縁部１１に沿う方向であって、リモコン本体５側の上縁部３４が固定具２側の上縁部に近接する方向、すなわち図４（ａ）において矢印Ｂで示すように、下方に向けてリモコン本体５を固定具２に対してスライド（相対移動）させることができる。これにより、係合突片４１，４１に設けられた突起４３，４３がガイド片１５，１５に沿って移動し、やがて図４（ｂ）や図５（ｂ）に示すように切り欠きにより形成された被係合部２１，２１に嵌り込んだ状態になる。これにより、リモコン本体５が固定具２に対して上下方向にスライドできないようにしっかりと固定された状態になる。
【００３５】
また、上記したようにしてリモコン本体５を固定具２に対してスライドさせると、図５（ａ）に示すように、リモコン本体５の上縁部３４に設けられたリブ状の突出部４５，４５（係合部ｂ）が、それぞれ固定具２の上縁部１２に設けられた受け部２５，２５内に嵌り込む。そして、突起４３，４３が被係合部２１，２１に嵌り込むまでリモコン本体５をスライドさせると、突出部４５，４５が「Ｖ」字型に開口した受け部２５，２５の奥までしっかりと嵌り込んだ状態になる。これにより、リモコン本体５が固定具２に対して幅方向（左右方向）にがたつきなく、しっかりと固定された状態になる。
【００３６】
上記したように、リモコン装置１では、リモコン本体５の背面側に設けられた固定具装着部４０内に固定具２が配された状態において、固定具２に対してリモコン本体５をスライドさせると、固定具２側に設けられた被係合部２１と、リモコン本体５側に設けられた係合突片４１の突起４３とが係合すると共に、固定具２側に設けられたスリット状の受け部２５にリモコン本体５側に設けられたリブ状の突出部４５が嵌り込む。そのため、リモコン装置１は、設置時にリモコン本体５を固定具２に対してスライドさせるだけで、リモコン本体５が上下方向および幅方向にがたつきなくしっかりと固定された状態になる。従って、リモコン装置１は、特に困難な作業を行う等しなくても、リモコン本体５のスライド方向およびこれに対して交差する方向へのがたつきがないように、しっかりと固定することができる。
【００３７】
また、上記したように、リモコン装置１では、リモコン本体５のケース３０において左右縁部３２，３３に沿って設けられた係合突片４１，４１がそれぞれ左右縁部３２，３３に近接、離反する方向への可撓性を有する。そして、リモコン装置１の設置時に係合突片４１，４１がガイド片１５，１５によって押し広げられ、左右縁部３２，３３に近接する方向に撓む一方、突起４３，４３がガイド片１５，１５の被係合部２１，２１に嵌り込んで係合すると、係合突片４１，４１によってガイド片１５，１５が挟み込まれた状態になる。そのため、突起４３，４３が被係合部２１，２１にしっかりと係合した状態になる。これにより、リモコン本体５は、上下方向に向けてがたつきなく固定具２に対してしっかりと固定された状態になる。
【００３８】
上記したように、リモコン装置１は、取り付け施工時に係合突片４１，４１に設けられた突起４３，４３がガイド片１５，１５の被係合部２１，２１に嵌り込んで係合する。そのため、リモコン装置１の取り付け施工を行う作業者は、リモコン装置１が取り付けられた状態になると節度感を感じる。従って、上記した構成によれば、作業者に対してリモコン装置１がしっかりと固定されたことを実感させることも可能である。
【００３９】
上記したリモコン装置１は、壁面への取り付け時にリモコン本体５を構成するケース３０の背面側に設けられた固定具装着部４０内に固定具２全体が収容され、この状態で固定具２とリモコン本体５とが一体化される。そのため、リモコン装置１は、壁面とリモコン本体５との間にほとんど隙間ができない。従って、リモコン装置１は、壁面への取り付け状態において固定具２が露出せず、美観に優れている。また、リモコン装置１は、リモコン本体５と壁面との間にホコリやゴミが入り込むといった不都合が生じにくい。なお、上記実施形態では、固定具２の全体がケース３０の背面に設けられた固定具装着部４０内に収容されるものであったが、本発明はこれに限定されるものではなく、固定具２の一部だけが収容される構成であってもよい。
【００４０】
上記したように、リモコン装置１は、リモコン本体５を固定具２に対してビス等で固定しなくてもがたつきなく、しっかりと固定することができる。そのため、リモコン装置１は、取り付け施工が容易であり、取り付けに要する部品点数も最小限で済む。また、リモコン装置１は、ビス止め等する場合のようにビス等が露出することがなく、取り付け状態において美観に優れている。
【００４１】
上記実施形態では、リモコン装置１は、例えば図示しない床暖房装置の遠隔操作用のものとして例示したが、本発明はこれに限定されるものではなく、他の負荷端末の操作用として利用されるものであってもよい。
【００４２】
上記実施形態では、係合突片４１，４１の双方を可撓性を有するものとしたが、いずれか一方だけ可撓性を有するものとしてもよい。また、上記実施形態では、リモコン本体５側に突起４３を設け、これと係合可能な被係合部２１を固定具２側に設けた構成を例示したが、本発明はこれに限定されるものではなく、リモコン本体５と固定具２とを係合させることが可能なものであればどのようなものであってもよい。具体的には、例えば固定具２側に係合用の突起等を設け、これと係合可能な凹部や孔、溝等をリモコン本体５側に設けた構成としてもよい。
【００４３】
また、上記実施形態では、係合突片４１，４１をケース３０の左右縁部３２，３３に沿う位置に設けた例を例示したが、本発明はこれに限定されるものではなく、左右縁部３２，３３自体が係合突片４１，４１の役割をなすものであってもよい。すなわち、左右縁部３２，３３がそれぞれ固定具装着部４０の外側に向けて撓むことが可能な構成としたり、左右縁部３２，３３の内周面に突起４３，４３に相当するものを設けてもよい。
【００４４】
上記実施形態で例示した被係合部２１は、ガイド片１５を略「Ｕ」字型に切り欠いて形成されたものであったが、本発明はこれに限定されるものではなく、例えば楕円形や円形、三角形等、いかなる形状の切り欠きであってもよい。
【００４５】
上記したリモコン装置１では、リモコン本体５のケース３０にリブ状の突出部４５を設けると共に、固定具２側に外縁から中心側に向かうに従って先細りになるテーパー状のスリットからなる受け部２５を設けた構成とされている。そして、固定具２に対してリモコン本体５を下方に向けてスライドさせると突出部４５が受け部２５内に食い込んだ状態になって係合する。また、突出部４５および受け部２５は、リモコン装置１の幅方向に相互に間隔を空けて２箇所に設けられている。そのため、リモコン装置１の設置時に、リモコン本体５と固定具２とを相対移動させ、突出部４５と受け部２５とを係合させると、リモコン本体５の移動がリモコン装置１の幅方向に規制された状態になる。従って、リモコン装置１は、幅方向、すなわちリモコン本体５のスライド方向に対して交差する方向へのがたつきが生じないように設置することができる。
【００４６】
なお、上記実施形態では、固定具２側にテーパー状に開口した受け部２５にリブからなる突出部４５が嵌り込み、くさびを打ったような状態になり、リモコン本体５が固定具２に対してしっかり固定されるものであったが、本発明はこれに限定されるものではない。具体的には、固定具２に受け部２５に代わってリブや突起等を設ける一方、このリブ等に係合可能なスリットや溝等をリモコン本体５側に設けた構成としてもよい。かかる構成とした場合についても、上記した構成を採用した場合と同様に、リモコン本体５をその幅方向へのがたつきが生じないようにしっかりと固定することができる。
【００４７】
また、本発明の関連発明としては、上記したようなリブ状の突出部４５とスリット状の受け部２５（スリット）との組み合わせによりリモコン本体５を固定具２に対して固定する代わりに、例えば図６（ａ）に示すように突出部４５に代えて突起状の突出部５０（係合部ｂ）を設け、図６（ｂ）に示すように固定具２側にこれを差し込み可能な孔５５（被係合部Ｂ）を設けた構成としてもよい。さらに詳細に説明すると、図６に示す例では、リモコン本体５を形成するケース３０の上縁部３４に、これに対して略垂直で固定具装着部４０側に向けて突出した突出部５０が設けられる。一方、固定具２側には、上縁部１２を折り返すことにより固定板部６に対して略垂直な面５６が設けられ、これに突出部５０をがたつきなく差し込み可能な孔５５が形成されている。
【００４８】
図６に示す構成を採用した場合は、壁面に予め固定されている固定具２に対してリモコン本体５が被さるように配し、ケース３０の背面側に設けられた固定具装着部４０に嵌り込んだ状態でリモコン本体５を下方に向けてスライドさせると、図７（ｂ）や図８（ａ）、図９に示すように、突出部５０が孔５５内に嵌り込んだ状態になる。これにより、固定具２とリモコン本体５とが一体化された状態になる。
【００４９】
ここで、図６〜図９に示す例では、突出部５０が複数（図６〜図９に示す例では２つ）の突出部構成片５１を有する先割れ状の軸体とし、突出部構成片５１が突出部５０の外接円の径方向への可撓性を有する構成とされている。そのため、リモコン本体５を固定具２に対して固定する際に、突出部５０が縮径して孔５５内に差し込まれる。その後弾性力により各突出部構成片５１が孔５５の開口縁側に押しつけられ、密接した状態になる。そのため、リモコン本体５は、幅方向にがたつきなく装着された状態になる。
【００５０】
なお、図６〜図９に示した例では、上記したように突出部５０が先割れ状になったものを採用した例を例示したが、本発明はこれに限定されるものではなく、単なる軸状のものであってもよい。かかる構成とした場合は、突出部５０の断面積や断面形状、孔５５の開口形状等を適宜調整することにより、突出部５０を孔５５に差し込んだ状態において突出部５０と孔５５との間にがたつきが生じないようにすることが望ましい。
【００５１】
本実施形態で採用されている固定具２は、固定板部６に大きな開口７を有している。そして、この開口７は、リモコン本体５を固定具２に装着する際にリモコン本体５をスライドさせる方向（上記実施形態では上下方向）の長さが、装着時にリモコン本体５がスライドする長さよりも十分長い。そのため、固定具２に対して装着すべく、リモコン本体５をスライドさせても、リモコン本体５の背面から取り出された配線３８がリモコン本体５と固定具２との間に噛み込んだり、これを原因とする断線等の不具合が起こらない。また、リモコン装置１は、設置時に固定具２とリモコン本体５との間に配線３８が挟まらないよう、配線３８の取り回し等を配慮する必要がないため、設置作業が容易である。
【００５２】
上記実施形態では、固定具２に対してリモコン本体５を下方にスライドすることによりリモコン装置１を設置可能なものを例示したが、本発明はこれに限定されるものではなく、リモコン本体５を上方や左右に向けてスライドさせることで設置可能なものであってもよい。
具体的には、固定具２の上縁部１２に受け部２５を設ける代わりに、下縁部１３に受け部２５に相当するものを設けると共に、リモコン本体５側の突出部４５に相当するものをケース３０の下縁部３５に設けた構成とすることも可能である。かかる構成によれば、リモコン本体５を上方にスライドすることで壁面に固定可能なリモコン装置１を提供できる。
また、同様に固定具２の左右縁部１０，１１に設けたガイド片１５，１５に被係合部２１を形成し、上縁部１２に受け部２５を形成する代わりに、固定具２の上下縁部１２，１３に被係合部２１に相当するものを設けると共に、左右縁部１０，１１のいずれかに受け部２５に相当するものを設けることも可能である。そして、リモコン本体５側において、係合突片４１に相当するものをケース３０の上下縁部３４，３５に沿って設け、左右縁部３２，３３のいずれかに突出部４５に相当するものを設けることも可能である。かかる構成とすれば、リモコン本体５を固定具２に対して左右方向にスライドさせることにより壁面に固定可能なリモコン装置１を提供できる。
【図面の簡単な説明】
【００５３】
【図１】本発明の一実施形態にかかるリモコン装置を示す分解斜視図である。
【図２】（ａ）は固定具を示す正面図であり、（ｂ）は固定具を示す斜視図である。
【図３】（ａ）はリモコン本体のケースを示す背面図であり、（ｂ）は当該ケースの斜視図である。
【図４】（ａ）はリモコン本体を固定具に被せた状態を示す背面図であり、（ｂ）はリモコン本体を固定具に対して固定した状態を示す背面図である。
【図５】（ａ）は受け部と突出部との係合状態を示す斜視図であり、（ｂ）は係合部と係合突片との係合状態を示す斜視図である。
【図６】（ａ），（ｂ）はそれぞれ図１に示すリモコン装置の参考例を示す斜視図である。
【図７】（ａ）はリモコン本体と固定具とを一体化した状態を示す斜視図であり、（ｂ）は（ａ）のＡ−Ａ断面図である。
【図８】（ａ）は図６に示すリモコン装置においてリモコン本体側の突出部が固定具側の孔に嵌り込んだ状態を示す斜視図であり、（ｂ）はリモコン本体において前記突出部が設けられた部分を拡大した斜視図である。
【図９】図６に示すリモコン装置においてリモコン本体側の突出部が固定具側の孔に嵌り込んだ状態を示す断面斜視図である。
【符号の説明】
【００５４】
１        リモコン装置
２        固定具
５        リモコン本体
１０        左縁部（第１外縁部）
１１        右縁部（第２外縁部）
１２        上縁部（第３外縁部）
２１        被係合部（被係合部Ａ，切欠）
２５        受け部（被係合部Ｂ，スリット）
３２        左縁部（第１内縁部）
３３        右縁部（第２内縁部）
３４        上縁部（第３内縁部）
３８        配線
４０        固定具装着部
４１        係合突片
４３        突起（係合部ａ）
４５        突出部（係合部ｂ，突起，リブ）
５０        突出部（係合部ｂ）
５５        孔（被係合部Ｂ）
【図１】
0005177496.tif 000002
【図２】
0005177496.tif 000003
【図３】
0005177496.tif 000004
【図４】
0005177496.tif 000005
【図５】
0005177496.tif 000006
【図６】
0005177496.tif 000007
【図７】
0005177496.tif 000008
【図８】
0005177496.tif 000009
【図９】
0005177496.tif 000010